(57)【要約】【課題】ＢＣＭＣＳのストリーミングデータを安定に受信することができる通信機器及び通信方法を提供する。【解決手段】１ｘ基地局３０から各端末へ１スロットサイクル（６４スロット＝５．１２秒）ごとにページメッセージが送信されるが、その送信タイミングは１スロットサイクル中の一部の期間（Ｒスロットの期間）に限定される。また、ＥＶ−ＤＯ基地局２０によるＢＣＭＣＳデータの送信は、このＲスロットの期間と重複しない他の期間において行われる。携帯通信装置１０においてＢＣＭＣＳデータの受信が行われているときにページメッセージの受信タイミングが到来すると、携帯通信装置１０の通信方式はＥＶ−ＤＯから１ｘへ切り替わり、上記Ｒスロットの期間においてページメッセージの受信が行われる。その後、携帯通信装置１０の通信方式は１ｘへ戻り、ＢＣＭＣＳデータの受信が再開される。【選択図】      図３
2006339916.tif 000002
【特許請求の範囲】
【請求項１】
間欠的にコンテンツの放送の受信を行う第１通信部と、
前記第１通信部と切替えて定期的に監視対象とする第２通信部と
を備える通信機器において、
前記第１通信部と第２通信部を切替える切替え部と、
前記切替えの制御を行う制御部と
を備えることを特徴とする通信機器。
【請求項２】
前記制御部は、前記第１通信部の間欠周期と前記第２通信部の監視時間とから切替え時期を推定する
ことを特徴とする請求項１に記載の通信機器。
【請求項３】
前記推定は、前記第２通信部の監視タイミングを基準として推定する
ことを特徴とする請求項１又は２に記載の通信機器。
【請求項４】
前記制御部は、受信した第１通信部の番組情報に基づき、第１通信部にて受信させ、受信終了後に前記推定を開始する
ことを特徴とする請求項１乃至３の何れか一に記載の通信機器。
【請求項５】
前記第２通信部の監視時間は、第２通信部の受信時間より長い
ことを特徴とする請求項１乃至４の何れか一に記載の通信機器。
【請求項６】
間欠的にコンテンツの放送の受信を行う第１通信方式と、
前記第１通信方式と切替えて定期的に監視対象とする第２通信方式と
を用いる通信方法において、
前記第１通信方式の間欠周期と前記第２通信方式の監視時間とから切替え時期を推定し、
前記切替えを制御する
ことを特徴とする通信方法。
【発明の詳細な説明】
【技術分野】
【０００１】
本発明は、例えばｃｄｍａ２０００  １ｘ方式や１ｘＥＶ−ＤＯ方式などの異なる通信方式を切り換えて基地局と通信を行うとともに、転送エラーが生じても再送処理が行われない放送データを受信することが可能な通信機器とその通信方法に関するものである。
【背景技術】
【０００２】
近年、携帯電話機は多機能化が進んでおり、音声通話に加えて高速なデータ通信が可能になってきている。例えば、主として音声通話に利用されるｃｄｍａ２０００  １ｘと称される通信方式（以降、‘１ｘ’と呼ぶ）に加えて、下り方向（基地局から携帯電話機への方向）のデータ伝送速度を高めたｃｄｍａ２０００  １ｘＥＶ−ＤＯと称される通信方式（以降、‘ＥＶ−ＤＯ’と呼ぶ）により高速データ通信を行うことが可能なハイブリッド型の移動体通信システムが知られている。
【０００３】
このハイブリッド型の通信システムをサポートする端末は、一般に、１つのアンテナを２つの通信方式で切り換えて使用している。すなわち、ＲＦ（radio frequency）信号に増幅、変調、復調等の処理を行う回路（以降、ＲＦ回路と呼ぶ）が１ｘ用とＥＶ−ＤＯ用にそれぞれ別個に設けられており、この２つのＲＦ回路と１つのアンテナとの間に切替え回路が挿入されている。一方のＲＦ回路がアンテナに接続されている場合、他方のＲＦ回路はアンテナから切り離されるため、２つの通信方式によって同時に通信を行うことはできない。
【０００４】
上記の端末は、１ｘ又はＥＶ−ＤＯの一方で通信を行っている途中でも他方の通信方式による着信を受けることができるように、５．１２秒ごとに他方の通信方式の基地局と交信を行っている。例えばＥＶ−ＤＯのデータ通信を行っている場合は、５．１２秒ごとにＥＶ−ＤＯのＲＦ回路から１ｘのＲＦ回路へアンテナを切り換えて、ページチャンネル（page channel）と称される通信チャネルに伝送される１ｘ基地局からのメッセージ（ページメッセージ）を受信する。また、１ｘの音声通話を行っている場合には、５．１２秒ごとに１ｘのＲＦ回路からＥＶ−ＤＯのＲＦ回路へアンテナを切り換えて、コントロールチャンネル（control channel）と称される通信チャネルに伝送されるＥＶ−ＤＯ基地局からのメッセージ（オーバーヘッドメッセージ）を受信する。
【０００５】
ここで、ＥＶ−ＤＯから１ｘへの切替えタイミングについて説明する。
以下では、基地局からのメッセージの確認を行う５．１２秒の時間をスロット単位（１スロット＝８０ｍｓ）で表した値をスロットサイクル（slot cycle）と呼ぶ。１スロットサイクルは６４スロットに相当する。
【０００６】
ＥＶ−ＤＯから１ｘへ切り替えるタイミングは、端末を識別する番号の１つであるＩＭＳＩ（international mobile subscriber identity）に基づいて算出される‘ＰＧＳＬＯＴ’と称される数値により決定される。
１ｘ基地局は、システムが起動した時点からの時間を５．１２秒毎に区分し、各区分（１スロットサイクル）の起点から上述のＰＧＳＬＯＴ（単位：８０ｍｓ）だけオフセットを持った時点においてページメッセージを送信する。１ｘで通信中の端末は、この時点において１スロット（８０ｍｓ）の間ページチャンネルを監視し、自端末へのページメッセージを受信する。ＥＶ−ＤＯで通信中の端末も、１スロットサイクルごとに１ｘ基地局からの上述したページメッセージを受信する必要がある。
図７は、１ｘ基地局から５．１２秒周期でページチャンネルにメッセージが送信される様子を図解した図である。
【０００７】
１ｘ基地局から送信されるページメッセージの受信タイミングは下記の計算式により算出される。
【０００８】
【数１】
2006339916.tif 000003
【０００９】
ただし、式（１）において‘ｔ’はＣＤＭＡシステム時間を示し、‘Ｔ’は整数４である。
【００１０】
式（１）におけるＰＧＳＬＯＴは、下記の計算式により算出される。
【００１１】
【数２】
2006339916.tif 000004
【００１２】
式（１）における各変数は次の式で表される。
【００１３】
【数３】
2006339916.tif 000005
【００１４】
各端末のＩＭＳＩは、通信網の利用者を一意に識別するための番号であり、端末ごとに異なった値を有する。そのため、ＥＶ−ＤＯから１ｘへの切替えタイミングは、例えば図８に示すように５．１２秒の範囲において均一に分布する。
５．１２秒ごとに行われるページメッセージの受信に何度か失敗すると、端末は１ｘ基地局の通信圏内から外れたと判定して、１ｘ基地局のサーチを行う。
【特許文献１】特開２００２−１７１５５５号公報
【発明の開示】
【発明が解決しようとする課題】
【００１５】
ところで、ＥＶ−ＤＯ通信ネットワーク上の特定／不特定の端末に対して同一データを送信するＢＣＭＣＳ（broadcast multicast service）と称されるプロトコルが知られている。ＢＣＭＣＳでは、共通の通信チャンネルを使って複数の端末に同一データを送信することができるため、端末ごとに異なる通信チャンネルを用いてデータを送信する場合に比べて、通信チャンネルを有効に利用することができる。そのため、例えばニュースや動画などの大容量のデータをストリーミングによって配送することが可能である。
【００１６】
ＢＣＭＣＳによって送信されるストリーミングデータは、始めから終わりまで途切れることのない連続したパケット群であり、例えばＲＴＰ（real-time transport protocol）等のプロトコルを用いて伝送される。また、このストリーミングデータは、通常の１ｘやＥＶ−ＤＯにおける通信のように、伝送エラーが生じてもデータの再送は行われない。
【００１７】
例えば上述したハイブリッド型の通信システムにおいて、ＥＶ−ＤＯによりＢＣＭＣＳのストリーミングデータを伝送する場合、そのストリーミングデータを受信する端末は、再送が許されないデータを取りこぼしのないように受信し続ける必要がある。そのため、ストリーミングデータを受信している間は、アンテナを１ｘのＲＦ回路に切り換えることができなくなり、図９に示すように、１ｘ基地局からのページメッセージを取りこぼしてしまう可能性が高くなる。ページメッセージを何度も取りこぼすと、端末は１ｘ基地局の通信圏内から外れたと判定するため、基地局のサーチ等の処理が開始される。その結果、ストリーミングデータの受信が不安定になり、動画や音声データが途切れてしまう現象が発生する。
【００１８】
本発明はかかる事情に鑑みてなされたものであり、その目的は、異なる通信方式を切り換えて２つの基地局と通信を行うことが可能であるとともに、一方の基地局から定期的に送信されるメッセージを受信しつつ他方の基地局から送信される放送等のデータを安定に受信することができる通信機器と、そのような携帯通信装置が基地局との間で安定にデータを伝送できる通信システムを提供することにある。
【課題を解決するための手段】
【００１９】
本発明の第１の観点は、間欠的にコンテンツの放送の受信を行う第１通信部と、前記第１通信部と切替えて定期的に監視対象とする第２通信部とを備える通信機器に関するものであり、この通信機器は、前記第１通信部と第２通信部を切替える切替え部と、前記切替えの制御を行う制御部とを備えることを特徴とする。
【００２０】
好適には、前記制御部は、前記第１通信部の間欠周期と前記第２通信部の監視時間とから切替え時期を推定する。
【００２１】
前記推定は、前記第２通信部の監視タイミングを基準として推定することであっても良い。
【００２２】
前記制御部は、受信した第１通信部の番組情報に基づき、第１通信部にて受信させ、受信終了後に前記推定を開始しても良い。
【００２３】
前記第２通信部の監視時間は、第２通信部の受信時間より長くても良い。
【００２４】
本発明の第２の観点は、間欠的にコンテンツの放送の受信を行う第１通信方式と、前記第１通信方式と切替えて定期的に監視対象とする第２通信方式とを用いる通信方法に関するものであり、この通信方法は、前記第１通信方式の間欠周期と前記第２通信方式の監視時間とから切替え時期を推定し、前記切替えを制御することを特徴とする。
【発明の効果】
【００２５】
本発明によれば、異なる通信方式を切り換えて２つの基地局と通信を行うことが可能であるとともに、一方の基地局から定期的に送信されるメッセージを受信しつつ他方の基地局から送信される放送等のデータを安定に受信することができる。
【発明を実施するための最良の形態】
【００２６】
図１は、本発明の実施形態に係る通信システムの構成の一例を示す図である。
図１に示す通信システムは、携帯通信装置１０と、ＥＶ−ＤＯ基地局２０と、１ｘ基地局３０とを有する。
【００２７】
携帯通信装置１０は、無線通信によって１ｘ基地局３０に接続し、この１ｘ基地局３０から不図示の回線交換網を介して他の電話機と音声通話を行う。
また、携帯通信装置１０は、無線通信によってＥＶ−ＤＯ基地局２０と接続し、ＩＰ（internet protocol）網などのパケット交換網を介して他の通信端末やサーバ装置とデータ通信を行う。
【００２８】
携帯通信装置１０は、ＥＶ−ＤＯ又は１ｘの何れか一方の基地局と無線通信を行うことが可能であり、両方の基地局と同時に無線通信を行うことができない。１ｘにより音声通話を行っている場合は、１スロットサイクル（６４スロット＝５．１２秒）ごとに通信方式を１ｘからＥＶ−ＤＯに切り替えてコントロールチャンネルを監視し、ＥＶ−ＤＯ基地局２０から伝送されるメッセージを受信する。また、ＥＶ−ＤＯによりデータ通信を行っている場合は、１スロットサイクルごとに通信方式をＥＶ−ＤＯから１ｘに切り替えてページチャンネルを監視し、１ｘ基地局３０から伝送されるメッセージを受信する。
【００２９】
図２は、携帯通信装置１０の構成の一例を示す図である。
図２に示す携帯通信装置１０は、アンテナ１０１と、ＲＦ切替部１０２と、ＥＶ−ＤＯ信号処理部１０３と、１ｘ信号処理部１０４と、ＣＰＵ１０５と、記憶部１１３とを有する。また、ＣＰＵ１０５のソフトウェア処理によって実現される機能ブロックとして、ＥＶ−ＤＯプロトコル処理部１０６と、１ｘプロトコル処理部１０７と、ストリーム処理部１０８と、番組情報制御部１０９と、タイミング算出部１１０と、タイミング検出部１１１と、制御部１１２とを有する。
【００３０】
ＥＶ−ＤＯ信号処理部１０３は、アンテナ１０１からＲＦ切替部１０２を介して入力されるＥＶ−ＤＯの受信信号に増幅、周波数変換、アナログ−デジタル変換、復調等の信号処理を施し、当該信号処理の結果として得られるＥＶ−ＤＯの受信データをＣＰＵ１０５に入力する。また、ＣＰＵ１０５から出力されるＥＶ−ＤＯの送信データに変調、デジタル−アナログ変換、周波数変換、増幅等の信号処理を施し、当該信号処理の結果として得られるＲＦ帯域の送信信号をＲＦ切替部１０２からアンテナ１０１に供給する。
【００３１】
１ｘ信号処理部１０４は、アンテナ１０１からＲＦ切替部１０２を介して入力される１ｘの受信信号に増幅、周波数変換、アナログ−デジタル変換、復調等の信号処理を施し、当該信号処理の結果として得られる１ｘの受信データをＣＰＵ１０５に入力する。また、ＣＰＵ１０５から出力される１ｘの送信データに変調、デジタル−アナログ変換、周波数変換、増幅等の信号処理を施し、当該信号処理の結果として得られるＲＦ帯域の送信信号をＲＦ切替部１０２からアンテナ１０１に供給する。
【００３２】
ＲＦ切替部１０２は、ＣＰＵ１０５の制御に従って、ＥＶ−ＤＯ信号処理部１０３又は１ｘ信号処理部１０４の何れか一方を選択し、アンテナ１０１に接続する。
【００３３】
ＣＰＵ１０５は、記憶部１１３に格納されるプログラム・コードに従って、種々の処理や制御を行う。例えば後述するＥＶ−ＤＯプロトコル処理部１０６、１ｘプロトコル処理部１０７、ストリーム処理部１０８、番組情報制御部１０９、タイミング算出部１１０、タイミング検出部１１１、制御部１１２など機能をソフトウェア処理によって実現する。
【００３４】
記憶部１１３は、ＣＰＵ１０５のプログラム・コードや、ＣＰＵ１０５の処理過程において利用される各種のデータ（変数データ、定数データなど）を記憶する。例えば、端末の識別に用いられる識別情報としてＩＭＳＩなどを記憶する。
【００３５】
ＥＶ−ＤＯプロトコル処理部１０６及び１ｘプロトコル処理部１０７は、ＥＶ−ＤＯ及び１ｘの通信プロトコルに関わる処理をそれぞれ行う。例えば、無線制御メッセージの処理やフレーミング、リンク制御等の処理を行う。
ＲＦ切替部１０２、ＥＶ−ＤＯ信号処理部１０３、１ｘ信号処理部１０４、ＥＶ−ＤＯプロトコル処理部１０６及び１ｘプロトコル処理部１０７の４ブロックは、無線通信に関わる物理レイヤからアプリケーションレイヤまでの処理を司る。
【００３６】
番組情報制御部１０９は、利用可能なＢＣＭＣＳの番組データを、現在接続中のＥＶ−ＤＯ基地局２０を経由してＢＣＭＣＳコントローラ８０から取得し、当該取得した番組データの内容に応じてＢＣＭＣＳの通信プロトコルを制御する。番組データには、例えばＢＣＭＣＳデータの送信開始時刻や終了時刻、データのフォーマット形式、識別番号などの情報が含まれる。
【００３７】
ストリーム処理部１０８は、ＥＶ−ＤＯ基地局２０を経由してＢＣＭＣＳコンテンツサーバ７０から取得したＢＣＭＣＳのストリーミングデータに含まれる画像データや音声データを復号化する。また、復号化した画像データを不図示のディスプレイ装置において画像として表示する処理や、復号化した音声データを不図示のスピーカにおいて音声として出力する処理を行う。
【００３８】
タイミング算出部１１０は、１ｘ基地局３０から送信されるページメッセージの受信タイミングを算出する。
【００３９】
図３は、ページメッセージの送受信のタイミングを説明するための図である。
図３（Ａ）〜（Ｄ）は、式（１）に示すＰＧＳＬＯＴに基づいてページメッセージの送受信タイミングが決定される場合の例を示す。この場合、送受信のタイミングは１スロットサイクル（６４スロット＝５．１２秒）の全期間に均一に分布するため、ＥＶ−ＤＯ基地局からＢＣＭＣＳのストリーミングデータが切れ目なく送出されると（図３（Ａ））、１ｘ基地局によるページメッセージの送信とＥＶ−ＤＯ基地局によるストリーミングデータの送信とが同時に行われてしまう（図３（Ｂ）〜（Ｄ））。端末は、１ｘのページメッセージとＥＶ−ＤＯのストリーミングデータを同時に受信できないため、両者の送信が同時に行われると一方のデータを確実に取りこぼしてしまう。
【００４０】
これに対して、図３（Ｅ）〜（Ｈ）は、ページメッセージの送受信タイミングが１スロットサイクルの全期間ではなくその一部の期間に限定されている場合の例を示す。これは、例えば、式（２）に示すＰＧＳＬＯＴの代わりに、以下の式（３）に示すＰＧＳＬＯＴに基づいてページメッセージの送受信タイミングを決定することにより実現される。
【００４１】
【数４】
2006339916.tif 000006
【００４２】
式（３）において‘ＰＧＳＬＯＴｎｏｒｍａｌ’は、式（２）により算出されるＰＧＳＬＯＴを示す。
‘Ｒ’は、１スロットサイクル（６４スロット＝５．１２秒）の中でページメッセージの送受信が行われる期間を示す数値であり、単位はスロット（１スロット＝８０ｍｓ）である。‘Ｒ’は、６４より小さい正の整数に設定される。
‘Ｏｆｆｓｅｔ’は、１スロットサイクルの起点に対して‘Ｒ’が示す期間の起点がどれだけ時間的に離れているかを示す数値であり、単位はスロットである。
【００４３】
式（３）に示すＰＧＳＬＯＴによってページメッセージの送受信タイミングを決定すると、各端末（携帯通信装置１０）のタイミングは１スロットサイクル（６４スロット）の全期間からその一部の期間（Ｒスロットの期間）に集約される（図３（Ｆ）〜（Ｈ））。
図３（Ｅ）に示すように、このＲスロットの期間においてＥＶ−ＤＯ基地局２０はＢＣＭＣＳのデータ送信を一時的に停止するため、携帯通信装置１０がＢＣＭＣＳのストリーミングデータを受信している途中でページメッセージの受信を行っても、ストリーミングデータの取りこぼしを生じることはない。
【００４４】
タイミング算出部１１０は、例えば、記憶部１１３に格納されるＩＭＳＩに基づいて式（１）に示すＰＧＳＬＯＴを算出し、この算出結果を更に式（３）に示すＰＧＳＬＯＴに変換する。これにより、１スロットサイクル（６４スロット）の一部の期間（Ｒスロットの期間）に限定されたページメッセージ受信タイミングを算出する。
【００４５】
タイミング検出部１１１は、１ｘ基地局３０との通信が開始されると、タイミング算出部１１０によって算出されたページメッセージの受信タイミングの到来を検出する。
例えばタイミング検出部１１１は、１ｘ基地局３０との通信が開始されるときに、スロットサイクルの起点のタイミングを１ｘ基地局３０から取得する。この起点のタイミングは、例えばＣＰＵ１０５に備わるタイマ機能などを利用して検出される。５．１２秒（６４スロット）ごとにスロットサイクルの起点を検出すると、タイミング検出部１１１は、この起点のタイミングからタイミング算出部１１０により算出されたＰＧＳＬＯＴだけ離れた時点を更に検出し、これをページメッセージの受信タイミングとして制御部１１２に通知する。
【００４６】
制御部１０５は、携帯端末装置１０の全体的な動作に関わる種々の処理を行う。
例えば、ＥＶ−ＤＯプロトコル処理部１０６や１ｘプロトコル処理部１０７において処理される送受信データにＰＰＰ（point-to-point protocol）、ＩＰ（internet protocol）、ＴＣＰ（transmission control protocol）など通信プロトコルに関わる処理を行う。
【００４７】
また、制御部１１２は、ＥＶ−ＤＯ信号処理部１０３及びＥＶ−ＤＯプロトコル処理部１０６においてＥＶ−ＤＯ基地局２０からＢＣＭＣＳのデータを受信しているときに、タイミング検出部１１１がページメッセージの受信タイミングの到来を検出すると、アンテナ１０１の接続先をＥＶ−ＤＯ信号処理部１０３から１ｘ信号処理部１０４へ切り替えるようにＲＦ切替部１０２を制御して、１ｘ信号処理部１０４及び１ｘプロトコル処理部１０７による受信動作を開始する。そして、１ｘのページチャンネルを一定の時間（１スロット）だけ監視し、１ｘ基地局３０から送信されるページメッセージを受信する。その後、アンテナ１０１の接続先を１ｘ信号処理部１０４からＥＶ−ＤＯ信号処理部１０３へ戻すようにＲＦ切替部１０２を制御して、ＥＶ−ＤＯ信号処理部１０３及びＥＶ−ＤＯプロトコル処理部１０６によるＢＣＭＣＳデータの受信を再開する。
【００４８】
以上が、携帯通信装置１０の説明である。
【００４９】
図１に戻る。
１ｘ基地局３０は、１ｘの無線通信によって端末（携帯通信装置１０）との接続を確立し、この端末と他の電話機との間で回線交換網（不図示）を介して行われる音声通話を中継する。
【００５０】
１ｘ基地局３０は、端末（携帯通信装置１０）へ着信を通知するため、接続中の各端末に対して１スロットサイクル（６４スロット＝５．１２秒）ごとにページメッセージを送信する。このページメッセージの送信タイミングは、図３（Ｆ）〜（Ｈ）に示すように、１スロットサイクル中の一部の期間（Ｒスロットの期間）に限定される。
例えば１ｘ基地局３０は、接続を開始する際などにおいて各端末からＩＭＳＩを取得し、これに基づいて式（３）に示すＰＧＳＬＯＴを端末ごとに算出する。そして、各端末に対するページメッセージの送信タイミングを、端末ごとに算出したＰＧＳＬＯＴに基づいて決定する。
【００５１】
ＥＶ−ＤＯ基地局２０は、１ｘの無線通信によって端末（携帯通信装置１０）との接続を確立し、この端末と他の端末やサーバ装置との間でパケット交換網を介して行われるデータ通信を中継する。
【００５２】
ＥＶ−ＤＯ基地局２０が接続されるデータ通信網には、例えば図１に示すように、ＰＣＦ４０、ＢＳＮ５０、ＢＣＭＣＳコンテンツ・プロバイダ６０、ＢＣＭＣＳコンテンツ・サーバ７０、ＢＣＭＣＳコントローラ８０などのネットワーク機器が接続されている。
ＰＣＦ４０は、ＥＶ−ＤＯセッションの管理を行う。
ＢＳＮ５０は、ＢＣＭＣＳに対応したＩＰ網と無線ネットワークとの変換ゲートウェイである。
ＢＣＭＣＳコンテンツ・プロバイダ６０は、ストリーミングコンテンツのフレーミングや暗号化、エンコード処理などを行う中間サーバである。
ＢＣＭＣＳコンテンツ・サーバ７０は、ストリーミングコンテンツの生成ポイントである。
ＢＣＭＣＳコントローラ８０は、ＢＣＭＣＳセッションの管理や番組表データ等の管理を行っている。
ＥＶ−ＤＯ基地局２０は、ＰＣＦ４０から送られてくるＢＣＭＣＳデータをＥＶ−ＤＯの無線フレームに乗せ換えて、無線データとして送信する機能を持っている。
【００５３】
また、ＥＶ−ＤＯ基地局２０は、ＢＣＭＣＳデータを送信する場合に、１ｘ基地局３０によるページメッセージの送信が行われる１スロットサイクル中の一部の期間（Ｒスロットの期間）において、ＢＣＭＣＳデータの送信を一時的に停止する（図３（Ｅ））。式（３）に示すＰＧＳＬＯＴによってページメッセージの送受信タイミングが規定される場合、ＥＶ−ＤＯ基地局２０がＢＣＭＣＳデータを送信する期間は、１スロットサイクルの起点から
‘Ｏｆｆｓｅｔ’〜‘Ｏｆｆｓｅｔ＋Ｒ’；
の範囲にあるＲスロットの期間と重ならないように設定される。
【００５４】
図４は、ＥＶ−ＤＯ基地局２０の構成の一例を示す図である。
ＥＶ−ＤＯ基地局２０は、例えば図４に示すように、アンテナ２０１と、ＥＶ−ＤＯ信号処理部２０２と、ＣＰＵ２０３と、記憶部２０７とを有する。また、ＣＰＵ２０３のソフトウェア処理によって実現される機能ブロックとして、ＥＶ−ＤＯプロトコル処理部２０４と、タイミング制御部２０５と、アプリケーション処理部２０６とを有する。
【００５５】
ＥＶ−ＤＯ信号処理部２０２は、アンテナ２０１に発生するＥＶ−ＤＯの受信信号に増幅、周波数変換、アナログ−デジタル変換、復調等の信号処理を施し、当該信号処理の結果として得られるＥＶ−ＤＯの受信データをＣＰＵ２０３に入力する。また、ＣＰＵ２０３から出力されるＥＶ−ＤＯの送信データに変調、デジタル−アナログ変換、周波数変換、増幅等の信号処理を施し、当該信号処理の結果として得られるＲＦ帯域の送信信号をアンテナ２０１に供給する。
【００５６】
ＣＰＵ２０３は、記憶部２０７に格納されるプログラム・コードに従って、種々の処理や制御を行う。例えば後述するＥＶ−ＤＯプロトコル処理部２０４、タイミング制御部２０５、アプリケーション処理部２０６など機能をソフトウェア処理によって実現する。
【００５７】
記憶部２０７は、ＣＰＵ２０３のプログラム・コードや、ＣＰＵ２０３の処理過程において利用される各種のデータ（変数データ、定数データなど）を記憶する。例えば、上述したＢＣＭＣＳコンテンツ・サーバ７０から端末へ伝送されるＢＣＭＣＳデータを一時的に格納する。
【００５８】
ＥＶ−ＤＯプロトコル処理部２０４は、ＥＶ−ＤＯの通信プロトコルに関わる処理を行う。例えば、無線制御メッセージの処理やフレーミング、リンク制御等の処理を行う。ＥＶ−ＤＯ信号処理部２０２及びＥＶ−ＤＯプロトコル処理部２０４の２ブロックは、ＥＶ−ＤＯの無線通信に関わる物理レイヤからアプリケーションレイヤまでの処理を司る。
【００５９】
アプリケーション処理部２０６は、ＥＶ−ＤＯプロトコル処理部２０４において処理される送受信データにＰＰＰ（point-to-point protocol）、ＩＰ（internet protocol）、ＴＣＰ（transmission control protocol）など通信プロトコルに関わる処理を行う。
【００６０】
タイミング制御部２０５は、ＢＣＭＣＳデータの送信タイミングを指示する処理を行う。例えば図３（Ｅ）に示すように、１スロットサイクルの全期間のうちページメッセージが送信される一部の期間（Ｒスロットの期間）と重ならないように、ＢＣＭＣＳデータの送信タイミングを指示する。
【００６１】
ここで、上述した構成を有する図２に示す携帯通信装置１０の動作について、図５に示すフローチャートを参照して説明する。
【００６２】
ステップＳＴ１：
制御部１１２は、電源が起動されると各種の内部パラメータを初期化する。
この初期化を行うと、次に制御部１１２は、アンテナ１０１と１ｘ信号処理部１０４とが接続されるようにＲＦ切替部１０２を制御して、１ｘ信号処理部１０４及び１ｘプロトコル処理部１０７による１ｘの通信動作を開始する。そして、近隣の１ｘ基地局３０をサーチしてネゴシエーションを行い、１ｘの通信セッションを確立する。
【００６３】
ステップＳＴ２：
１ｘ基地局３０との通信セッションが確立すると、タイミング算出部１１０は、記憶部１１３に格納されるＩＭＳＩに基づいて式（３）に示すＰＧＳＬＯＴを算出し、その結果を記憶部１１３に保存する。
【００６４】
ステップＳＴ３：
次いで制御部１１２は、アンテナ１０１とＥＶ−ＤＯ信号処理部１０３とが接続されるようにＲＦ切替部１０２を制御して、ＥＶ−ＤＯ信号処理部１０３及びＥＶ−ＤＯプロトコル処理部１０６によるＥＶ−ＤＯの通信動作を開始する。そして、近隣のＥＶ−ＤＯ基地局２０をサーチしてネゴシエーションを行い、ＥＶ−ＤＯの通信セッションを確立する。
【００６５】
ステップＳＴ４，ＳＴ５，ＳＴ６：
番組情報制御部１０９は、ＢＣＭＣＳデータを受信するための番組表のデータ（番組情報）を、現在接続中のＥＶ−ＤＯ基地局２０を経由してＢＣＭＣＳコントローラ８０から取得する（ステップＳＴ４）。そして、この取得した番組表のデータから現在受信可能な所望の番組をＥＶ−ＤＯ基地局２０に要求する（ステップＳＴ５）。この要求を受けてＢＣＭＣＳコンテンツサーバ７０から送信されたＢＣＭＣＳデータは、ＥＶ−ＤＯ基地局２０を経由して携帯通信装置１０に伝送され、ＥＶ−ＤＯ信号処理部１０３及びＥＶ−ＤＯプロトコル処理部１０６の受信処理を経て制御部１１２に入力される。そして、制御部１１２の制御に従ってストリーム処理部１０８に供給され、画像データや音声データとして再生される（ステップＳＴ６）。
【００６６】
ステップＳＴ７，ＳＴ８：
制御部１１２は、ＢＣＭＣＳデータの受信が終了したかどうかを判定する。受信が終了した場合は、所定の待ち受け状態へ遷移する。
【００６７】
ステップＳＴ９：
ＢＣＭＣＳデータの受信が終了していない場合、タイミング検出部１１１は、現在の時刻がスロットサイクルの起点からＰＧＳＬＯＴだけ離れた時刻であるかを監視する。この時刻に達していない場合は、ステップＳＴ６に戻ってＢＣＭＣＳデータの受信を続行する。
【００６８】
ステップＳＴ１０，ＳＴ１１，ＳＴ１２：
現在の時刻がスロットサイクルの起点からＰＧＳＬＯＴだけ離れた時刻になったことをタイミング検出部１１１が検出すると、制御部１１２は、ＲＦ切替部１０２を制御してアンテナ１０１を１ｘ信号処理部１０４に切替え（ステップＳＴ１０）、所定の時間（例えば１スロットの間）ページチャンネルを監視し、１ｘ基地局３０から送信されるページメッセージを受信する（ステップＳＴ１１）。その後、ＲＦ切替部１０２を制御してアンテナ１０１を再びＥＶ−ＤＯ信号処理部１０３に切り替えて、ステップＳＴ６に戻る（ステップＳＴ１２）。
ステップＳＴ９において、（３）式の範囲である場合は上記動作を行わず、ステップＳＴ６に戻る。
【００６９】
以上説明したように、本実施形態によれば、１ｘ基地局３０から各端末へ１スロットサイクル（６４スロット＝５．１２秒）ごとにページメッセージが送信されるが、その送信タイミングは１スロットサイクル中の一部の期間（Ｒスロットの期間）に限定される。携帯通信装置１０におけるページメッセージの受信タイミングは、その固有の識別情報（ＩＭＳＩ）に基づいて算出される式（３）のＰＧＳＬＯＴによって決定される。また、ＥＶ−ＤＯ基地局２０によるＢＣＭＣＳデータの送信は、このＲスロットの期間と重複しない他の期間において行われる。携帯通信装置１０においてＢＣＭＣＳデータの受信が行われているとき、式（３）のＰＧＳＬＯＴによって指定される受信タイミングが到来すると、携帯通信装置１０の通信方式はＥＶ−ＤＯから１ｘへ切り替わり、上記Ｒスロットの期間においてページメッセージの受信が行われる。その後、携帯通信装置１０の通信方式はＥＶ−ＤＯから１ｘへ戻り、ＢＣＭＣＳデータの受信が再開される。
そのため、携帯通信装置１０においては、例えばストリーミングデータのように再送処理の行われないＢＣＭＣＳデータの受信が行われている途中でも、そのデータを取りこぼすことなく１ｘ基地局３０から周期的に送信されるページメッセージを受信することが可能になる。これにより、１ｘ基地局３０との接続を確立した状態でＥＶ−ＤＯ基地局２０からのＢＣＭＣＳデータを安定に受信することができる。
【００７０】
以上、本発明の一実施形態について説明したが、本発明は上記の形態にのみ限定されるものではなく、種々の改変が可能である。
【００７１】
例えば、上記の実施形態では基地局との通信方式として１ｘとＥＶ−ＤＯを用いる例が示されているが、本発明はこれに限定されるものではなく、基地局との通信方式は任意である。また、基地局から携帯通信端末へストリーミングデータを伝送する通信方式についても、ＢＣＭＣＳに限定されず任意である。
【００７２】
ＲＦ切替部１０２における通信方式の切替えには、現実には図６の‘ＴＤＯ’や‘Ｔ１ｘ’に示すような遷移時間が存在する。そのため、この遷移時間においてＥＶ−ＤＯや１ｘの受信動作が行われないようにすることが望ましい。すなわち、ＥＶ−ＤＯ基地局２０は、Ｒスロットの期間の前後に少なくとも上記の遷移時間より長いインターバル期間を設けて、このインターバル期間においてもＢＣＭＣＳデータの送信を停止するようにしても良い。これにより、更に確実にデータの取りこぼしを低減することができる。
【００７３】
Ｒスロットの期間においてＢＣＭＣＳデータの送信が停止されるため、制御部１１２はこの期間においてＥＶ−ＤＯ信号処理部１０３の受信処理を一時的に停止しても良い。これにより、消費電力の削減を図ることができる。
【図面の簡単な説明】
【００７４】
【図１】本発明の実施形態に係る通信システムの構成の一例を示す図である。
【図２】携帯通信装置の構成の一例を示す図である。
【図３】ページメッセージの送受信のタイミングを説明するための図である。
【図４】ＥＶ−ＤＯ基地局の構成の一例を示す図である。
【図５】携帯通信装置の動作を説明するためのフローチャートである。
【図６】ＲＦ切替部による通信方式の切替えの際に生じる遷移時間を説明するための図である。
【図７】１ｘ基地局から５．１２秒周期でページチャンネルにメッセージが送信される様子を図解した図である。
【図８】５．１２秒の期間において各端末に対するページメッセージの送信タイミングが均一に分布する様子を図解した図である。
【図９】ＢＣＭＣＳのストリーミングデータを受信しているときにページメッセージの取りこぼしが生じる様子を図解した図である。
【符号の説明】
【００７５】
１０…携帯通信装置、２０…ＥＶ−ＤＯ基地局、３０…１ｘ基地局、１０１，２０１…アンテナ、１０２…ＲＦ切替部、１０３，２０２…ＥＶ−ＤＯ信号処理部、１０４…１ｘ信号処理部、１０５，２０３…ＣＰＵ、１１３，２０７…記憶部、１０６，２０４…ＥＶ−ＤＯプロトコル処理部、１０７…１ｘプロトコル処理部、１０８…ストリーム処理部、１０９…番組情報制御部、１１０…タイミング算出部、１１１…タイミング検出部、１１２…制御部、２０６…アプリケーション処理部
【図１】
2006339916.tif 000007
【図２】
2006339916.tif 000008
【図３】
2006339916.tif 000009
【図４】
2006339916.tif 000010
【図５】
2006339916.tif 000011
【図６】
2006339916.tif 000012
【図７】
2006339916.tif 000013
【図８】
2006339916.tif 000014
【図９】
2006339916.tif 000015